(57)【要約】【課題】別水源用給水路と循環水路に共通の水浄化装置を備えたものにおいて、水浄化装置の品質低下を効率的に防止できるようにする。【解決手段】本実施形態の洗濯機は、洗濯物が収容される槽と、この槽の内部に通じる別水源用給水路と、水道とは別の水源の水を別水源用給水路を通して槽の内部へ供給する別水源用給水ポンプと、別水源用給水路の一部を共用して槽の内部に通じる循環水路と、槽内に供給された水を循環水路を通して循環させる循環ポンプと、別水源用給水路と循環水路が共用する共用水路に設けられ通過する水を浄化する水浄化装置と、を備える。そして、共用水路にあって水浄化装置における浄化部の上流側にリントフィルタを設ける。【選択図】図１
2015077280.tif 000002
【特許請求の範囲】
【請求項１】
洗濯物が収容される槽と、
この槽の内部に通じる別水源用給水路と、
水道とは別の水源の水を前記別水源用給水路を通して前記槽の内部へ供給する別水源用給水ポンプと、
前記別水源用給水路の一部を共用して前記槽の内部に通じる循環水路と、
前記槽内に供給された水を前記循環水路を通して循環させる循環ポンプと、
前記別水源用給水路と前記循環水路が共用する共用水路に設けられ通過する水を浄化する水浄化装置と、を備えた洗濯機において、
前記共用水路にあって前記水浄化装置における浄化部の上流側にリントフィルタを設けたことを特徴とする洗濯機。
【請求項２】
前記別水源用給水路と、前記循環水路と、前記共用水路は、流路切替弁により接続されていることを特徴とする請求項１記載の洗濯機。
【請求項３】
前記循環水路に設けられた排水フィルタを備え、
前記リントフィルタの目は、前記排水フィルタの目よりも細かいことを特徴とする請求項１または２記載の洗濯機。
【請求項４】
前記槽を収容する外箱の上部に設けられたカバーと、
前記リントフィルタに設けられた取手部と、を備え、
前記取手部は、前記カバーに臨んでいることを特徴とする請求項１から３のいずれか一項記載の洗濯機。
【請求項５】
前記リントフィルタは、長手方向の一端部に取手部を有するとともに、前記長手方向に延びる複数の面にろ過面を有していて、前記複数のろ過面のうち一面以上が開閉可能であることを特徴とする請求項１から４のいずれか一項記載の洗濯機。
【請求項６】
前記リントフィルタは、前記共用水路に設けられたフィルタケースに対して挿入と回転により着脱可能に設けられていて、前記フィルタケースと前記リントフィルタとの間には、前記リントフィルタの挿入方向の位置と回転方向の位置の検知が可能な検知手段が設けられていることを特徴とする請求項１から５のいずれか一項記載の洗濯機。
【請求項７】
前記リントフィルタのろ過面は筒状をなしていて、水は前記ろ過面の内外を通ることでろ過されることを特徴とする請求項１から６のいずれか一項記載の洗濯機。
【請求項８】
前記リントフィルタは、前記共用水路に設けられたフィルタケースに設けられていて、前記フィルタケースの下部に、ろ過後の水の出口となる流出口が設けられていることを特徴とする請求項１から７のいずれか一項記載の洗濯機。
【発明の詳細な説明】
【技術分野】
【０００１】
本発明の実施形態は、洗濯機に関する。
【背景技術】
【０００２】
洗濯機においては、水道とは別の水源である例えば風呂の水を洗濯に使用するために、別水源用給水ポンプを設け、その別水源用給水ポンプにより、風呂の水を汲み上げて別水源用給水路を通して槽内に供給する構成としたものや、槽の外部に、当該槽の内部と連通する循環水路を設けるとともに、当該循環水路に循環ポンプを設けて、槽内に供給された水を、循環ポンプにより循環水路を通して循環させるようにしたものが知られている。そして、このようなものにおいて、別水源用給水路や循環水路に水浄化装置を設け、その水路を通過する水を浄化するようにしたものも提案されている。水浄化装置としては、紫外線やオゾンで雑菌を除菌したり、光触媒を利用して、吸着した有機汚れを分解したりするものなどが提案されている。しかしながら、糸屑や髪の毛などの比較的大きな異物が水浄化装置内に混入したり付着したりすると、水浄化性能が著しく低下したり、通過できる水量が低下したりし、水浄化装置の品質が著しく低下することが懸念される。
【先行技術文献】
【特許文献】
【０００３】
【特許文献１】特開２０１２−２１７７０９号公報
【特許文献２】特開２０１１−６２３９４号公報
【発明の概要】
【発明が解決しようとする課題】
【０００４】
そこで、別水源用給水路と循環水路に共通の水浄化装置を備えたものにおいて、水浄化装置の品質低下を効率的に防止できる洗濯機を提供する。
【課題を解決するための手段】
【０００５】
本実施形態の洗濯機は、洗濯物が収容される槽と、この槽の内部に通じる別水源用給水路と、水道とは別の水源の水を前記別水源用給水路を通して前記槽の内部へ供給する別水源用給水ポンプと、前記別水源用給水路の一部を共用して前記槽の内部に通じる循環水路と、前記槽内に供給された水を前記循環水路を通して循環させる循環ポンプと、前記別水源用給水路と前記循環水路が共用する共用水路に設けられ通過する水を浄化する水浄化装置と、を備える。そして、前記共用水路にあって前記水浄化装置における浄化部の上流側にリントフィルタを設ける。
【図面の簡単な説明】
【０００６】
【図１】本実施形態による洗濯機を正面側から見た概略構成図
【図２】同洗濯機の概略平面図
【図３】リントフィルタユニット部分を示す図で、（ａ）はリントフィルタをフィルタケースに装着した状態の縦断正面図、（ｂ）はリントフィルタをフィルタケースから外した状態での縦断正面図
【図４】リントフィルタを示す図であり、（ａ）は側面図、（ｂ）は正面図、（ｃ）は概略的斜視図
【図５】水浄化装置の縦断面図
【発明を実施するための形態】
【０００７】
以下、本実施形態による洗濯機について図面を参照して説明する。
まず、図１および図２において、洗濯機１は、この場合、縦軸型の全自動洗濯機である。洗濯機１の外殻は、矩形箱状をなす外箱２の上部にトップカバー３を装着して構成されている。外箱２の底部には脚部４が設けられている。トップカバー３の上面前部には、操作パネル５が設けられていて、この操作パネル５の裏側に、マイクロコンピュータを主体とした制御手段６が設けられている。操作パネル５には、図示はしないが各種の操作スイッチや表示部が設けられている。トップカバー３の上面後部には、バックカバー７が設けられている。トップカバー３の中央部には、洗濯物出入口８が設けられている。
【０００８】
外箱２内には、洗濯物を収容する槽９が設けられている。この槽９は、有底円筒状の水槽１０と、この水槽１０内に回転可能に配設された有底円筒状の回転槽１１とから構成されている。このうち、水槽１０は、図示しない弾性吊持機構により外箱２に弾性的に吊持されている。回転槽１１は、図示はしないが周壁部に脱水用の孔を多数有していて、これの上面開口部が洗濯物出入口８に下方から臨んでいる。回転槽１１の上面開口部周縁部にはバランスリング１１ａが設けられている。洗濯物は、洗濯物出入口８を通して回転槽１１内に収容される。回転槽１１内の底部には、パルセータ１２が回転可能に設けられている。水槽１０の外底部には、駆動手段１３が設けられている。この駆動手段１３は、正逆回転が可能なモータおよびクラッチを備えていて、パルセータ１２のみを回転させる場合と、回転槽１１とパルセータ１２を一体的に回転させる場合とを切り替え可能な構成となっている。
【０００９】
トップカバー３の後部におけるバックカバー７の下方には、給水弁１５と、注水ケース１６と、別水源用給水ポンプを構成する風呂水ポンプ１７と、水浄化装置１８と、リントフィルタユニット１９などが配設されている。このうち、給水弁１５は、トップカバー３の後部における右側に配置されていて、水道水の流入口となるホース接続口２０と、水道水の流出口となる給水用流出口２１および呼び水用流出口２２を有している。ホース接続口２０は、バックカバー７から上方に露出している。
【００１０】
ホース接続口２０には、図示しない水道の蛇口に接続された機外給水ホースの先端部が接続される。給水用流出口２１には給水管２３の一端部が接続され、その給水管２３の他端部は、注水ケース１６の給水路の流入口に接続されている。呼び水用流出口２２には呼び水用給水管２４の一端部が接続され、その呼び水用給水管２４の他端部は、注水ケース１６の呼び水用給水路の流入口に接続されている。注水ケース１６は、下向きの給水口２５を有していて、その給水口２５の下端部が、回転槽１１の上面開口部に上方から臨んでいる。
【００１１】
給水弁１５は、電磁弁から構成されていて、給水状態と、呼び水給水状態と、給水停止状態とに切り替え可能である。給水状態では、機外給水ホースから供給される水道水を、給水用流出口２１から給水管２３側へ流出させ、その水道水は、注水ケース１６の給水路を通り、給水口２５から槽９内へ供給される。呼び水給水状態では、機外給水ホースから供給される水道水を、呼び水用流出口２２から呼び水用給水管２４側へ流出させる。給水停止状態では、給水用流出口２１および呼び水用流出口２２のどちらにも水道水を流出させない。この場合、給水弁１５と、給水管２３と、注水ケース１６と、給水口２５は、水道水を槽９内へ供給する水道水給水路２６を構成している。
【００１２】
風呂水ポンプ１７は、トップカバー３の後部における左側に配置されていて、風呂水の流入口となるホース接続口２８と、呼び水の流入口となる呼び水用流入口２９と、風呂水の流出口となる風呂水吐出口３０を有している。ホース接続口２８は、バックカバー７から上方へ露出している。風呂水を使用する場合には、ホース接続口２８には図示しない風呂水用ホースの一端部が接続され、その風呂水用ホースの他端部が、図示しない浴槽内の風呂水中に挿入される。呼び水用流入口２９には、呼び水用通水路３１の一端部が接続されている。呼び水用通水路３１の他端部は、前記注水ケース１６における呼び水用給水路の流出口に接続されている。
【００１３】
給水弁１５が呼び水給水状態のときに、呼び水用流出口２２から注水ケース１６の呼び水用給水路に供給された呼び水は、呼び水用通水路３１を通して風呂水ポンプ１７に供給される。呼び水用通水路３１の途中部には逆止弁３２が設けられている。この逆止弁３２は、呼び水が注水ケース１６の呼び水用給水路から風呂水ポンプ１７側へ供給される場合はその呼び水の通過を許容するが、風呂水が風呂水ポンプ１７側から注水ケース１６側へ移動することを遮断するためのものである。
【００１４】
風呂水ポンプ１７の風呂水吐出口３０は、接続管３３を介して流路切替弁３４の風呂水流入口３５に接続されている。流路切替弁３４は、風呂水ポンプ１７の右側に配置されている。その流路切替弁３４は、風呂水流入口３５と、循環水流入口３６と、１個の流出口３７を有した三方弁から構成されていて、風呂水通水状態と、循環水通水状態とに切り替え可能となっている。風呂水通水状態では、循環水流入口３６を閉鎖した状態で、風呂水流入口３５と流出口３７を連通状態とし、風呂水ポンプ１７の風呂水吐出口３０から供給される風呂水を流出口３７側へ流出させる状態となる。循環水通水状態では、風呂水流入口３５を閉鎖した状態で、循環水流入口３６と流出口３７を連通状態とし、後述する循環ポンプ３８から吐出された循環水を流出口３７側へ流出させる状態となる。
【００１５】
流路切替弁３４の流出口３７は、接続管４０を介してリントフィルタユニット１９の流入口４１に接続されている。リントフィルタユニット１９の構成について、図３および図４も参照して説明する。リントフィルタユニット１９は、トップカバー３の後部において流路切替弁３４の右側に配設されている。このリントフィルタ１９は、図３に示すように、フィルタケース４２とリントフィルタ４３を備えている。フィルタケース４２は、容器状をなしていて、一方の側部（左側部）の下部に横向きの前記流入口４１を有し、この流入口４１と対向する側部（右側部）の下部に横向きの流出口４４を有している。フィルタケース４２の内部の下部には、水案内部４５が設けられている。この水案内部４５は、一端部が流入口４１と連通し、他端部側の上部に、上面が開口したフィルタ接続部４６を有している。フィルタ接続部４６は、この場合、上方から見て矩形状をなしている。フィルタケース４２の上部には、開口部４７を有するフィルタ装着部４８が設けられている。開口部４７は、円形をなしていて、内周部に雌ねじ部４９が設けられている。フィルタ装着部４８の所定部位には、磁気センサ５０が設けられている。
【００１６】
リントフィルタ４３は、複数のろ過面５１と、取手部５２を有している。ろ過面５１は、この場合４面備えている。各ろ過面５１は、図４（ａ）において左右方向に長い長方形状をなしていて、それぞれが枠５３により囲まれている。ろ過面５１はメッシュにより構成されている。４枚のろ過面５１により、矩形筒状に形成されている。取手部５２は、ろ過面５１の長手方向の一端部に設けられている。取手部５２は、雄ねじ部５４を有する径小部５５と、この径小部５５より径大な径大部５６と、径大部５６の外面に設けられた凸状のつまみ部５７とを一体的に有している。径小部５５には、相対的に回転可能な円形の可動ベース５８が設けられていて、この可動ベース５８に、前記４枚のろ過面５１の一端部が取り付けられている。４枚のろ過面５１のうち、一枚のろ過面５１は、基端部である可動ベース５８側を支点として回動により開閉可能な構成となっている（図４（ａ）の二点鎖線参照）。径大部５６の外周部の所定部位には、永久磁石５９が設けられている。
【００１７】
図３に示すように、前記バックカバー７には、フィルタケース４２の上方に対応する部位に位置させて開口部６０が形成されているとともに、この開口部６０を開閉する蓋６１が軸部６１ａを支点にして回動可能に設けられている。ここで、リントフィルタ４３をフィルタケース４２に装着する場合には、次のようにして行う。
【００１８】
まず、図３（ｂ）に示すように、蓋６１を開放した状態で、リントフィルタ４３の取手部５２を手に持ち、ろ過面５１の下端部を、バックカバー７の開口部６０およびフィルタケース４２におけるフィルタ装着部４８の開口部４７に上方から挿入する。そして、ろ過面５１の下端部を、フィルタケース４２内のフィルタ接続部４６に挿入して接続するとともに、取手部５２を回転させて雄ねじ部５４をフィルタ装着部４８の雌ねじ部４９にねじ込む。これにより、リントフィルタ４３をフィルタケース４２に装着することができる。リントフィルタ４３をフィルタケース４２の正規の位置に装着した状態では、図３（ａ）に示すように、取手部５２の径大部５６に設けられた永久磁石５９が、フィルタ装着部４８に設けられた磁気センサ５０に対応するようになる。この結果、磁気センサ５０が永久磁石５９の磁気を検知することにより、リントフィルタ４３が正規の位置に装着されたことを検知することができる。永久磁石５９と磁気センサ５０は、リントフィルタ４３の挿入方向の位置と取手部５２の回転方向の位置を検知する検知手段６２を構成している。
【００１９】
リントフィルタ４３のフィルタケース４２への装着が完了したら、蓋６１を閉めておく。なお、リントフィルタ４３をフィルタケース４２から取り出す場合には、上述の手順と逆に行えばよい。
【００２０】
図１および図２に示すように、フィルタケース４２の流出口４４は、接続管６４を介して水浄化装置１８の流入口６５に接続されている。次に水浄化装置１８の構成について、図５を参照して説明する。水浄化装置１８は、リントフィルタユニット１９の右側に配設されていて、左右方向に延びる浄化装置ケース６６を備えている。この浄化装置ケース６６は、左側の浄化部６７と、右側の除菌部６８を備えている。浄化部６７および除菌部６８はともに円筒状であるが、左側の浄化部６７が右側の除菌部６８よりも径大とされている。浄化装置ケース６６の内部には、これの長手方向に沿って紫外線ランプ６９が設けられている。紫外線ランプ６９は、保護管により外側から保護されている。浄化装置ケース６６の左側の浄化部６７の左側部に前記流入口６５が横向き設けられている。浄化装置ケース６６の右側の除菌部６８の右上部に、流出口７１が上向きに設けられている。
【００２１】
流入口６５から浄化装置ケース６６内に水が流入すると、その水は矢印方向に流れる。したがって、浄化装置ケース６６は通水方向に長く、紫外線ランプ６９は通水方向に沿って延びており、また、浄化部６７と除菌部６８は通水方向に直列に配置された形態となっている。
【００２２】
浄化部６７の内部には、複数のフィルタ状の光触媒７２が設けられている。このフィルタ状の光触媒７２は、この場合多孔質状のセラミックに光触媒を担持させた構成のもので、ドーナツ状をなしていて、その中心部に紫外線ランプ６９が貫通している。光触媒７２は、通水方向である紫外線ランプ６９の長手方向に沿って複数個配置されている。なお、浄化装置ケース６６における浄化部６７および除菌部６８の内面には、紫外線を反射する反射体７３が設けられている。
【００２３】
ここで、風呂水などの水が、流入口６５から浄化装置ケース６６の浄化部６７内に流入すると、その水に含まれた有機成分などの汚れ成分がフィルタ状の光触媒７２に吸着される。このとき、紫外線ランプ６９が点灯されて紫外線が光触媒７２に照射されると、光触媒７２が活性化され、その吸着された汚れ成分を分解するようになる。また、浄化部６７内に流入した水に紫外線ランプ６９の紫外線が直接照射されることに伴い、その水に含まれた雑菌などが紫外線により除菌されるようにもなる。そして、光触媒７２にて浄化された水は、除菌部６８内を通る過程で一層除菌されるようになる。したがって、風呂水などの水は、その水浄化装置１８を通過することで浄化され、浄化された水は流出口７１から流出する。
【００２４】
水浄化装置１８の流出口７１は、接続管７４を介して前記注水ケース１６の給水路に接続されている。ここで、前記流路切替弁３４が風呂水通水状態で、風呂水ポンプ１７が駆動された場合、風呂水ポンプ１７によって汲み上げられた風呂水は、風呂水吐出口３０、接続管３３、流路切替弁３４、流出口３７、接続管４０、リントフィルタユニット１９のフィルタケース４２、接続管６４、水浄化装置１８の浄化装置ケース６６、接続管７４、注水ケース１６の給水路を順に通り、給水口２５から槽９内へ供給されるようになる。したがって、これら風呂水ポンプ１７の風呂水吐出口３０、接続管３３、流路切替弁３４、流出口３７、接続管４０、リントフィルタユニット１９のフィルタケース４２、接続管６４、水浄化装置１８の浄化装置ケース６６、接続管７４、注水ケース１６、および給水口２５は、水道水とは別の水源となる風呂の水を槽９内へ供給する別水源用給水路７５を構成している。
【００２５】
この場合、フィルタケース４２の流入口４１からフィルタケース４２内に入った風呂水は、図３（ａ）の矢印で示すように、水案内部４５を通り、フィルタ接続部４６に位置するリントフィルタ４３の４面のろ過面５１の下端開口部から筒状をなす４面のろ過面５１の内部に入り、各ろ過面５１を内から外に向けて通過する。この際に、水に含まれた髪の毛などの異物がろ過面５１にて捕獲される。ろ過面５１を通過した水は、流出口４４から水浄化装置１８側へ流出する。
【００２６】
図１および図２において、前記循環ポンプ３８は、外箱２内の下部に配設されている。この循環ポンプ３８の吸入口７６は、排水フィルタユニット７７におけるフィルタケース７８の循環用流出口７９に接続されている。循環ポンプ３８の吐出口８０は、上方に延びる循環用接続管８１を介して前記流路切替弁３４の循環水流入口３６に接続されている。排水フィルタユニット７７は、フィルタケース７８と、このフィルタケース７８に対して着脱可能に装着される排水フィルタ８２を備えている。この排水フィルタ８２の目は比較的粗く形成されていて、前記リントフィルタ４３におけるろ過面５１の目は、その排水フィルタ８２の目よりも細かく形成されている。
【００２７】
フィルタケース７８は、前記循環用流出口７９と、排水用流出口８３と、流入口８４を有している。流入口８４は、接続管８５を介して前記水槽１０の排水口８６に接続されている。排水用流出口８３は、排水弁８７を介して排水管８８に接続されている。
【００２８】
ここで、排水弁８７が開放されると、水槽１０内に貯留されていた水は、排水口８６、接続管８５、排水フィルタユニット７７のフィルタケース７８、排水用流出口８３、排水弁８７、排水管８８を通って機外へ排出される。このとき、水に含まれていたリントなどの比較的大きな異物は、排水フィルタ８２にて捕獲される。したがって、排水口８６、接続管８５、排水フィルタユニット７７のフィルタケース７８、排水用流出口８３、排水弁８７、排水管８８は、槽９内の水を機外へ排出する排水路９０を構成している。
【００２９】
また、排水弁８７が閉鎖された状態で槽９内に水が貯留され、かつ、流路切替弁３４が循環水通水状態に切り替えられた状態で、循環ポンプ３８が駆動されると、槽９内の水は、排水口８６、接続管８５、排水フィルタユニット７７のフィルタケース７８、循環用流出口７９を通して吸入口７６から循環ポンプ３８に吸入され、その吸入された水は、吐出口８０から循環用接続管８１側に吐出される。循環用接続管８１側に吐出された水は、流路切替弁３４の循環水流入口３６、流出口３７、接続管４０、リントフィルタユニット１９のフィルタケース４２、接続管６４、水浄化装置１８の浄化装置ケース６６内、接続管７４、注水ケース１６の給水路を順に通り、給水口２５から槽９内へ戻されるようになる。このようにして、槽９内の水が循環される。
【００３０】
したがって、排水口８６、接続管８５、排水フィルタユニット７７のフィルタケース７８、循環用流出口７９、循環ポンプ３８、循環用接続管８１、流路切替弁３４の循環水流入口３６、流出口３７、接続管４０、リントフィルタユニット１９のフィルタケース４２、接続管６４、水浄化装置１８の浄化装置ケース６６、接続管７４、注水ケース１６、および給水口２５は、槽９内に供給された水を循環させる循環水路９１を構成している。
【００３１】
この循環水路９１と前記別水源用給水路７５は、流路切替弁３４の流出口３７、接続管４０、リントフィルタユニット１９のフィルタケース４２、接続管６４、水浄化装置１８の浄化装置ケース６６、接続管７４、注水ケース１６、および給水口２５を共用しており、この流路切替弁３４の流出口３７から給水口２５までを共用水路９２としている。
【００３２】
そして、上記構成において、水浄化装置１８は共用水路９２に設けられている。また、共用水路９２において、水浄化装置１８における浄化部６７の上流側にリントフィルタ４３が設けられている。
【００３３】
前記制御手段６は、操作パネルの操作スイッチおよび表示部と、磁気センサ５０などの各種センサと電気的に接続されている。この制御手段６は、操作パネルの操作スイッチの操作と、予め備えた制御プログラムに基づき、駆動手段１３、給水弁１５、風呂水ポンプ１７、水浄化装置１８の紫外線ランプ６９、流路切替弁３４、循環ポンプ３８、排水弁８７などを制御することで、洗濯運転を行う。
【００３４】
この場合、洗濯運転のコースとしては、水道水を使用する水道水コースと、風呂水を使用する風呂水コースとがある。水道水コースおよび風呂水コースでは、どちらも、例えば洗い行程と、すすぎ行程１と、中間脱水行程１と、すすぎ行程２と、中間脱水行程２と、すすぎ行程３と、最終脱水行程を順に行う。
【００３５】
次に、水道コースにおいて水道水を槽９内に給水する場合と、水道コースにおいて槽９内に貯留された水を、循環ポンプ３８を用いて循環水路９１を通して循環させる場合と、風呂水コースにおいて風呂水を槽９内に給水する場合と、風呂水コースにおいて槽９内に貯留された風呂水を、循環ポンプ３８を用いて循環水路９１を通して循環させる場合の水の流れについて説明する。
【００３６】
＜水道コースにおいて、水道水を槽９内に給水する場合＞
この場合、制御手段６は、排水弁８７を閉鎖した状態で、給水弁１５を給水状態とする。これに基づき、水道水が、水道水給水路２６（給水弁１５、給水用流出口２１、給水管２３、注水ケース１６の給水路、給水口２５）を通して槽９内に供給されて貯留される。
【００３７】
＜水道コースにおいて、槽９内に貯留された水を、循環ポンプ３８を用いて循環水路９１を通して循環させる場合＞
洗い行程やすすぎ行程において、槽９内の水を、循環ポンプ３８を用いて循環水路９１を通して循環させる場合、制御手段６は、流路切替弁３４を循環水通水状態に切り替えるとともに、水浄化装置１８の紫外線ランプ６９を点灯させた状態で、循環ポンプ３８を駆動する。これに基づき、槽９内の水は、循環水路９１（排水口８６、接続管８５、排水フィルタユニット７７のフィルタケース７８、循環用流出口７９、循環ポンプ３８、循環用接続管８１、流路切替弁３４の循環水流入口３６、流出口３７、接続管４０、リントフィルタユニット１９のフィルタケース４２、接続管６４、水浄化装置１８の浄化装置ケース６６、接続管７４、注水ケース１６、および給水口２５）を通して循環される。
【００３８】
このとき、排水フィルタユニット７７のフィルタケース７８内を通過する水に含まれたリントなどの比較的大きな異物は排水フィルタ８２にて捕獲されるので、比較的大きな異物が循環ポンプ３８側に侵入することが規制される。また、排水フィルタ８２を通過したリントなどの異物があったとしても、その異物を含んだ水がリントフィルタユニット１９のフィルタケース４２内を通過する際に、その水に含まれた異物はリントフィルタ４３のろ過面５１にて捕獲されてろ過されるようになる。リントフィルタ４３のろ過面５１の目は、排水フィルタ８２の目よりも細かいので、比較的小さな異物も捕獲除去することができる。このため、水浄化装置１８の上流側である手前において、比較的小さな異物もリントフィルタ４３によりろ過することができるので、それらの異物が水浄化装置１８内に混入することを防止できる。そして、リントフィルタユニット１９を通過した水は、水浄化装置１８の浄化装置ケース６６内を通過することで、前述したように浄化および除菌される。したがって、循環水路９１を通して循環される循環水は、循環しながら浄化および除菌されるようになる。
【００３９】
＜風呂水コースにおいて、風呂水を槽９内に給水する場合＞
風呂水コースを選択した場合、使用者は、予め風呂水用ホースの一端部を風呂水ポンプ１７のホース接続口２８に接続するとともに、風呂水用ホースの他端部を浴槽内の風呂水中に挿入しておく。この場合、制御手段６は、まず風呂水ポンプ１７に呼び水を供給するため、給水弁１５を呼び水給水状態とする。これに基づき、水道水が、呼び水用流出口２２から呼び水用給水管２４、注水ケース１６の呼び水用給水路、呼び水用通水路３１を通して風呂水ポンプ１７に供給される。所定時間後、制御手段６は、給水弁１５を給水停止状態にして呼び水の供給を停止し、流路切替弁３４を風呂水通水状態に切り替え、風呂水ポンプ１７を駆動し、さらに、水浄化装置１８の紫外線ランプ６９を点灯させる。
【００４０】
このうち、風呂水ポンプ１７を駆動することに基づき、浴槽内の風呂水が風呂水用ホースを通して風呂水ポンプ１７内に汲み上げられ、その汲み上げられた風呂水は、別水源用給水路７５（風呂水ポンプ１７の風呂水吐出口３０、接続管３３、流路切替弁３４、流出口３７、接続管４０、リントフィルタユニット１９のフィルタケース４２、接続管６４、水浄化装置１８の浄化装置ケース６６、接続管７４、注水ケース１６、および給水口２５）を通して槽９内へ供給されるようになる。
【００４１】
そしてこの場合、風呂水がリントフィルタユニット１９のフィルタケース４２内を通過する際に、その風呂水に含まれた髪の毛などの異物は、リントフィルタ４３の各ろ過面５１にて捕獲され、風呂水がろ過されるようになる。そして、リントフィルタユニット１９を通過した風呂水は、水浄化装置１８の浄化装置ケース６６内を通過することで、前述したように浄化および除菌される。したがって、浄化および除菌された風呂水が槽９内に供給されるようになる。
【００４２】
＜風呂水コースにおいて、槽９内に貯留された風呂水を、循環ポンプ３８を用いて循環水路９１を通して循環させる場合＞
洗い行程やすすぎ行程において、槽９内に貯留された風呂水を、循環ポンプ３８を用いて循環水路９１を通して循環させる場合、制御手段６は、水道水を循環させる場合と同様に、流路切替弁３４を循環水通水状態に切り替えるとともに、水浄化装置１８の紫外線ランプ６９を点灯させた状態で、循環ポンプ３８を駆動する。これに基づき、槽９内に貯留された風呂水は、水道水を循環させる場合と同様に、循環水路９１（排水口８６、接続管８５、排水フィルタユニット７７のフィルタケース７８、循環用流出口７９、循環ポンプ３８、循環用接続管８１、流路切替弁３４の循環水流入口３６、流出口３７、接続管４０、リントフィルタユニット１９のフィルタケース４２、接続管６４、水浄化装置１８の浄化装置ケース６６、接続管７４、注水ケース１６、および給水口２５）を通して循環される。
【００４３】
このときも、排水フィルタユニット７７のフィルタケース７８内を通過する水に含まれたリントなどの比較的大きな異物は排水フィルタ８２にて捕獲される。また、排水フィルタ８２を通過した小さなリントなどの異物があったとしても、その異物を含んだ水がリントフィルタユニット１９のフィルタケース４２内を通過する際に、その水に含まれた異物はリントフィルタ４３のろ過面５１にて捕獲されてろ過されるようになる。そして、リントフィルタユニット１９を通過した水は、水浄化装置１８の浄化装置ケース６６内を通過することで、前述したように浄化および除菌される。したがって、循環水路９１を通して循環される循環水は、循環しながら浄化および除菌されるようになる。このため、最後のすすぎ行程３においても、風呂水を使用することが可能となる。
【００４４】
上記した実施形態において、リントフィルタユニット１９のリントフィルタ４３を掃除する場合には、次のようにして行う。まず、バックカバー７の蓋６１を開けた状態で、開口部６０に手を挿入し、リントフィルタ４３のつまみ部５７を手指でつまみ、取手部５２を回転させて雄ねじ部５４と雌ねじ部４９の螺合を外し、この後、リントフィルタ４３全体を引き上げ、そのリントフィルタ４３を開口部６０から外部へ取り出す。そして、そのリントフィルタ４３の特にろ過面５１を掃除する。このとき、４面のろ過面５１のうち、一面は開閉可能であるので、その開閉可能な一面のろ過面５１を開放させる（図４（ａ）の二点鎖線参照）。これにより、四角筒状のろ過面５１の一面に開口部が形成されるようになるので、その開口部を通して各ろ過面５１の特に内面側の掃除を容易に行うことができるようになる。リントフィルタ４３の掃除が完了したら、そのリントフィルタ４３をフィルタケース４２に再度装着しておく。
【００４５】
上記した実施形態によれば、次のような作用効果を得ることができる。
水道とは別の水源となる風呂の水を槽９内へ供給する別水源用給水路７５と、槽９内の水を循環ポンプ３８を用いて循環させる循環水路９１を備えたものにおいて、これら別水源用給水路７５と循環水路９１とが共用する共用水路９２に水浄化装置１８を設けているので、１箇所の水浄化装置１８で風呂水も循環水も浄化することができる。しかも、共用水路９２において、水浄化装置１８の浄化部６７の上流側にリントフィルタ４３を設けているので、髪の毛やリントなどの比較的大きな異物が水浄化装置１８内に混入したり付着したりすることを防止でき、水浄化装置１８の品質低下を効率的に防止することができる。
【００４６】
別水源用給水路７５と、循環水路９１と、共用水路９２は、流路切替弁３４により接続されている。このため、風呂水を槽９内へ供給する場合には、流路切替弁３４を風呂水通水状態としておくことで、風呂水流入口３５と流出口３７が連通状態となり、循環水流入口３６は閉鎖されるようになるので、風呂水はリントフィルタユニット１９側へは流れるが、風呂水が循環用接続管８１側へ逆流することを防止できる。また、槽９内の水を循環させる場合には、流路切替弁３４を循環水通水状態としておくことで、循環水流入口３６と流出口３７が連通状態となり、風呂水流入口３５は閉鎖されるようになるので、循環水はリントフィルタユニット１９側へは流れるが、循環水が風呂水ポンプ１７側へ逆流することを防止できる。
【００４７】
共用水路９２に設けられたリントフィルタ４３におけるろ過面５１の目は、排水路９０に設けられた排水フィルタ８２の目よりも細かくなっている。排水フィルタ８２は、特に排水時の排水性能の低下を防止するために目を細かくすることができないという事情がある。そこで、共用水路９２のリントフィルタ４３のろ過面５１の目を、その排水フィルタ８２の目より細かくすることで、排水性能を低下させることなく、リント等の異物を一層確実に捕獲することが可能となる。
【００４８】
リントフィルタ４３の取手部５２を、外箱２の上部のカバーを構成するバックカバー７に臨む構成としているので、そのバックカバー７の外からリントフィルタ４３の着脱が可能にできる。
【００４９】
リントフィルタ４３は、長手方向の一端部に取手部５２を有するとともに、その長手方向に延びる複数面、この場合４面にろ過面５１を有していて、その４面のろ過面５１のうち一面を開閉可能な構成としている。この結果、その開閉可能な一面のろ過面５１を開放させることで、４面のろ過面５１の掃除を容易に行うことができるようになる。
【００５０】
リントフィルタ４３は、共用水路９２に設けられたフィルタケース４２に対して挿入と回転により着脱可能に設けられていて、フィルタケース４２のフィルタ装着部４８とリントフィルタ４３の取手部５２との間には、リントフィルタ４３の挿入方向の位置と回転方向の位置の検知が可能な検知手段６２が設けられている。検知手段６２は、具体的には永久磁石５９と磁気センサ５０である。これによれば、検知手段６２により、リントフィルタ４３の挿入方向の位置と回転方向の位置の検知が可能となるから、リントフィルタ４３が装着されていなかったり、装着が不十分でリントフィルタ４３が正規の位置に正しく装着されていなかったりした場合、それを検知することができる。制御手段６は、検知手段６２の磁気センサ５０の信号によりこの状態を検知することができる。例えば運転開始時に制御手段６がこれを検知した場合には、ブザーなどの報知手段を用いてこれを報知することが可能となる。
【００５１】
リントフィルタ４３のろ過面５１は筒状をなしていて、水はそのろ過面５１の内外を通ることでろ過される構成となっている。この構成によれば、ろ過面５１を有効に利用でき、ろ過効率を向上できる。
【００５２】
リントフィルタ４３は、共用水路９２に設けられたフィルタケース４２に設けられていて、そのフィルタケース４２の下部に、ろ過後の水の出口となる流出口４４が設けられている。この構成によれば、流出口４４をフィルタケース４２の下部に設けることで、フィルタケース４２内に残る残水量を少なくでき、ぬめりなどの発生を極力防止できる。
【００５３】
（その他の実施形態）
水浄化装置１８としては、紫外線ランプ６９と光触媒７２を用いたものに限られず、水の浄化ができるものであれば、オゾンや銀イオン、塩素などを用いるものであってもよい。
共用水路９２において、リントフィルタ４３は、水浄化装置１８の浄化部６７の上流側であれば、水浄化装置１８の内部に設けることも可能である。
洗濯機としては、槽９の軸方向が上下方向を向いた縦軸型の洗濯機に限られず、水槽および回転槽の軸方向が横向きのドラム式洗濯機にも適用できる。
【００５４】
以上説明したように本実施形態の洗濯機によれば、水道とは別の水源を槽内へ供給する別水源用給水路と、槽内の水を循環ポンプを用いて循環させる循環水路を備えたものにおいて、これら別水源用給水路と循環水路とが共用する共用水路に水浄化装置を設けているので、１箇所の水浄化装置で風呂水も循環水も浄化することができる。しかも、共用水路において、水浄化装置の浄化部の上流側にリントフィルタを設けているので、リントなどの比較的大きな異物が水浄化装置内に混入したり付着したりすることを防止でき、水浄化装置の品質低下を効率的に防止することができる。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
図面中、１は洗濯機、２は外箱、３はトップカバー、６は制御手段、７はバックカバー（カバー）、９は槽、１０は水槽、１１は回転槽、１３は駆動手段、１５は給水弁、１６は注水ケース、１７は風呂水ポンプ（別水源用給水ポンプ）、１８は水浄化装置、１９はリントフィルタユニット、２５は給水口、２６は水道水給水路、３４は流路切替弁、３８は循環ポンプ、４２はフィルタケース、４３はリントフィルタ、４４は流出口、５０は磁気センサ、５１はろ過面、５２は取手部、５９は永久磁石、６０は開口部、６１は蓋、６２は検知手段、６６は浄化装置ケース、６７は浄化部、６８は除菌部、６９は紫外線ランプ、７２は光触媒、７５は別水源用給水路、７７は排水フィルタユニット、７８はフィルタケース、８２は排水フィルタ、９１は循環水路、９２は共用水路を示す。
【図１】
2015077280.tif 000003
【図２】
2015077280.tif 000004
【図３】
2015077280.tif 000005
【図４】
2015077280.tif 000006
【図５】
2015077280.tif 000007